(57)【要約】      （修正有）【課題】光源の輝度を上げることなく表示の輝度を上げつつ、表示する情報量の低下を抑制することができる表示画像投影装置及び表示画像投影方法を提供する。【解決手段】複数の光源（２２ａ〜２２ｃ）と、各光源（２２ａ〜２２ｃ）からの光を反射して走査する複数のマイクロミラーデバイス（２３ａ〜２３ｃ）と、複数の光源（２２ａ〜２２ｃ）及び複数のマイクロミラーデバイス（２３ａ〜２３ｃ）を制御する制御部（２１）と、を備え、制御部（２１）は、複数の光源（２２ａ〜２２ｃ）のうち少なくとも１つの所定光源に対する走査範囲を、所定光源以外の光源に対する走査範囲よりも狭くするように複数のマイクロミラーデバイス（２３ａ〜２３ｃ）を制御する。【選択図】図２
2017202762.tif 000002
【特許請求の範囲】
【請求項１】
複数の光源と、
各光源からの光を反射して走査する複数のマイクロミラーデバイスと、
前記複数の光源及び前記複数のマイクロミラーデバイスを制御する制御部と、
を備え、
前記制御部は、前記複数の光源のうち少なくとも１つの所定光源に対する走査範囲を、前記所定光源以外の光源に対する走査範囲よりも狭くするように前記複数のマイクロミラーデバイスを制御する、表示画像投影装置。
【請求項２】
前記制御部は、前記所定光源に対する走査範囲を、前記所定光源以外の光源に対する走査範囲と同一にするか狭くするかを切り替えることを特徴とする、請求項１に記載の表示画像投影装置。
【請求項３】
前記制御部は、緊急信号を検知した場合に、前記所定光源に対する走査範囲を、前記所定光源以外の光源に対する走査範囲よりも狭くするように切り替え、映像信号のうち、前記所定光源に対応するデータを、緊急表示画像に係るデータに差し替えることを特徴とする、請求項２に記載の表示画像投影装置。
【請求項４】
前記所定光源は、赤色の光源を含むことを特徴とする、請求項１乃至３のいずれか一項に記載の表示画像投影装置。
【請求項５】
前記所定光源に係る表示光の投影範囲は、中央視領域であることを特徴とする、請求項１乃至４のいずれか一項に記載の表示画像投影装置。
【請求項６】
前記所定光源に係る表示光の投影範囲と、前記所定光源以外の表示光の投影範囲とが重畳することを特徴とする、請求項１乃至５のいずれか一項に記載の表示画像投影装置。
【請求項７】
前記所定光源に対する走査範囲を、所定の条件に応じて変更することを特徴とする、請求項１乃至６のいずれか一項に記載の表示画像投影装置。
【請求項８】
複数の光源からの光を反射して走査する複数のマイクロミラーデバイスを備える表示画像投影装置による表示画像投影方法であって、
前記複数の光源のうち少なくとも１つの所定光源に対する走査範囲を、前記所定光源以外の光源に対する走査範囲よりも狭くするように前記複数のマイクロミラーデバイスを制御する、表示画像投影方法。
【発明の詳細な説明】
【技術分野】
【０００１】
本発明は、マイクロミラーデバイスを用いた表示画像投影装置及び表示画像投影方法に関する。
【背景技術】
【０００２】
従来のヘッドアップディスプレイ等の表示画像投影装置において、マイクロミラーデバイスを用いて発光素子からのレーザー光を反射させて走査することにより表示画像を投影する技術がある（特許文献１）。特許文献１では、車速が一定値以上高い場合などの状態において、レーザー光の走査範囲を通常時よりも小さくすることにより、レーザー光の輝度は変えずに表示画像の輝度を上げて運転者に対する注意喚起を行っていた。
【先行技術文献】
【特許文献】
【０００３】
【特許文献１】特開２００９−２５５８１４号公報
【発明の概要】
【発明が解決しようとする課題】
【０００４】
しかしながら、上記従来の技術では、車速が一定値以上高い場合などの状態において、レーザー光の走査範囲を通常時よりも小さくするため、当該状態では表示画像の表示面積が小さくなり、表示できる情報量が低下する恐れがあった。
【０００５】
従って、上記のような問題点に鑑みてなされた本発明の目的は、光源の輝度を上げることなく表示の輝度を上げつつ、表示する情報量の低下を抑制することができる表示画像投影装置及び表示画像投影方法を提供することにある。
【課題を解決するための手段】
【０００６】
上記課題を解決するために本発明の第１の観点に係る表示画像投影装置は、
複数の光源と、
各光源からの光を反射して走査する複数のマイクロミラーデバイスと、
前記複数の光源及び前記複数のマイクロミラーデバイスを制御する制御部と、
を備え、
前記制御部は、前記複数の光源のうち少なくとも１つの所定光源に対する走査範囲を、前記所定光源以外の光源に対する走査範囲よりも狭くするように前記複数のマイクロミラーデバイスを制御することを特徴とする。
【０００７】
また、本発明の第２の観点に係る表示画像投影装置は、
前記制御部が、前記所定光源に対する走査範囲を、前記所定光源以外の光源に対する走査範囲と同一にするか狭くするかを切り替えることを特徴とする。
【０００８】
また、本発明の第３の観点に係る表示画像投影装置は、
前記制御部が、緊急信号を検知した場合に、前記所定光源に対する走査範囲を、前記所定光源以外の光源に対する走査範囲よりも狭くするように切り替え、映像信号のうち、前記所定光源に対応するデータを、緊急表示画像に係るデータに差し替えることを特徴とする。
【０００９】
また、本発明の第４の観点に係る表示画像投影装置は、
前記所定光源が、赤色の光源を含むことを特徴とする。
【００１０】
また、本発明の第５の観点に係る表示画像投影装置は、
前記所定光源に係る表示光の投影範囲は、中央視領域であることを特徴とする。
【００１１】
また、本発明の第６の観点に係る表示画像投影装置は、
前記所定光源に係る表示光の投影範囲と、前記所定光源以外の表示光の投影範囲とが重畳することを特徴とする。
【００１２】
また、本発明の第７の観点に係る表示画像投影装置は、
前記所定光源に対する走査範囲を、所定の条件に応じて変更することを特徴とする。
【００１３】
また、本発明の第８の観点に係る表示画像投影方法は、
複数の光源からの光を反射して走査する複数のマイクロミラーデバイスを備える表示画像投影装置による表示画像投影方法であって、
前記複数の光源のうち少なくとも１つの所定光源に対する走査範囲を、前記所定光源以外の光源に対する走査範囲よりも狭くするように前記複数のマイクロミラーデバイスを制御する。
【発明の効果】
【００１４】
本発明の第１の観点に係る表示画像投影装置によれば、所定光源に対する走査範囲を、前記所定光源以外の光源に対する走査範囲よりも狭くすることで光源の輝度を上げることなく表示の輝度を上げつつ、所定光源以外の光源に対する走査範囲は広く維持して表示する情報量の低下を抑制することができる。
【００１５】
また、本発明の第２の観点に係る表示画像投影装置によれば、所定光源に対する走査範囲を切り替え可能なため、より適応的に光源の輝度を上げることなく表示の輝度を上げつつ、所定光源以外の光源に対する走査範囲は広く維持して表示する情報量の低下を抑制することができる。
【００１６】
また、本発明の第３の観点に係る表示画像投影装置によれば、緊急信号を検知した場合に所定光源に対する走査範囲を切り替え可能なため、より適応的に光源の輝度を上げることなく表示の輝度を上げつつ、所定光源以外の光源に対する走査範囲は広く維持して表示する情報量の低下を抑制することができる。
【００１７】
また、本発明の第４の観点に係る表示画像投影装置によれば、所定光源は、赤色の光源を含むため、所定光源に係る表示画像の視認性を向上させることができる。
【００１８】
また、本発明の第５の観点に係る表示画像投影装置によれば、所定光源に係る表示光の投影範囲が中央視領域であるため、所定光源に係る表示画像の視認性を向上させることができる。
【００１９】
また、本発明の第６の観点に係る表示画像投影装置によれば、所定光源による表示画像と、所定光源以外の表示画像を一度に視野に収めることができる。
【００２０】
また、本発明の第７の観点に係る表示画像投影装置によれば、所定条件に応じて、所定光源に対する走査範囲を変更するため、表示の輝度を条件に応じて調整することができる。
【００２１】
また、本発明の第８の観点に係る表示画像投影方法によれば、所定光源に対する走査範囲を、前記所定光源以外の光源に対する走査範囲よりも狭くすることで光源の輝度を上げることなく表示の輝度を上げつつ、所定光源以外の光源に対する走査範囲は広く維持して表示する情報量の低下を抑制することができる。
【図面の簡単な説明】
【００２２】
【図１】実施の形態１に係る表示画像投影装置の概要図である。
【図２】実施の形態１に係る表示画像投影装置の表示光出力装置のブロック図である。
【図３】走査範囲と走査線を示す図である。
【図４】所定光源の走査範囲と走査線を示す図である。
【図５】表示画像の一例を示す図である。
【図６】表示画像の他の例を示す図である。
【図７】実施の形態１に係る表示画像投影装置の動作を示すフローチャートである。
【図８】実施の形態２に係る表示画像投影装置の表示光出力装置のブロック図である。
【発明を実施するための形態】
【００２３】
以下、本発明の実施の形態について説明する。
【００２４】
（実施の形態１）
以下、本発明の一実施形態について説明する。図１は表示画像投影装置１（ヘッドアップディスプレイ装置１）の概要図である。表示画像投影装置１は、表示光出力装置２と、透過型スクリーン３と、反射ミラー４とを含む。
【００２５】
表示光出力装置２は、映像信号に基づき表示光を出力する。表示光出力装置２からの表示光は、透過型スクリーン３を介して反射ミラー４により反射される。反射ミラー４は、表示光出力装置２からの表示光を、フロントウィンドシールド５の所定位置へ向かうよう反射する。なお、フロントウィンドシールド５には、所定の反射率、透過率となるように半反射部材等を設けるようにしてもよい。また、反射ミラー４の上方のインストパネル７は、開口して表示光を通過させる。
【００２６】
表示画像投影装置１は、フロントウィンドシールド５の比較的広い範囲で表示を行い、ステアリングホイール６を操作するドライバｈ（以下、ユーザという）の前方視界方向に虚像を投影して表示画像を表示する。シート８に座っているユーザは、フロントウィンドシールド５を通して見る景色（前方視界）に重畳して表示画像を視認する。
【００２７】
図２は、表示光出力装置２のブロック図である。表示光出力装置２は、制御部２１と、複数の光源２２ａ〜２２ｃと、複数のマイクロミラーデバイス２３ａ〜２３ｃと、複数の合成ミラー２４ａ〜２４ｃとを備える。
【００２８】
制御部２１は、複数の光源２２ａ〜２２ｃ及び複数のマイクロミラーデバイス２３ａ〜２３ｃを制御する。具体的には制御部２１は、外部から映像信号を受信すると、当該映像信号を各色（Ｒ、Ｇ、Ｂ）に分離する。制御部２１は、分離した映像信号のうち、Ｒに係る映像信号（Ｒ映像）を、光源２２ａに出力する。また制御部２１は、分離した映像信号のうち、Ｇに係る映像信号（Ｇ映像）を、光源２２ｂに出力する。また制御部２１は、分離した映像信号のうち、Ｂに係る映像信号（Ｂ映像）を、光源２２ｃに出力する。また制御部２１は、映像信号に基づきタイミング信号を発生させ、各光源に対応するマイクロミラーデバイス２３ａ〜２３ｃを駆動する。
【００２９】
複数の光源２２ａ〜２２ｃは、例えばそれぞれレーザー発光素子である。光源２２ａは、赤色（Ｒ）のレーザー発光素子である。光源２２ｂは、緑色（Ｇ）のレーザー発光素子である。光源２２ｃは、青色（Ｂ）のレーザー発光素子である。複数の光源２２ａ〜２２ｃは、それぞれ制御部２１から分離された映像信号（Ｒ映像、Ｇ映像、Ｂ映像）を受け取り、当該映像信号に基づきレーザー光をマイクロミラーデバイス２３ａ〜２３ｃに照射する。なお複数の光源２２ａ〜２２ｃをＬＥＤ（Ｌｉｇｈｔ Ｅｍｉｔｔｉｎｇ Ｄｉｏｄｅ）発光素子により構成してもよい。
【００３０】
複数のマイクロミラーデバイス２３ａ〜２３ｃは、各光源からの光を反射して走査する。具体的にはマイクロミラーデバイス２３ａは、制御部２１の制御により２軸方向に駆動し、光源２２ａから照射された光を反射して走査する。同様にマイクロミラーデバイス２３ｂは、制御部２１の制御により２軸方向に駆動し、光源２２ｂから照射された光を反射して走査する。またマイクロミラーデバイス２３ｃも、制御部２１の制御により２軸方向に駆動し、光源２２ｃから照射された光を反射して走査する。図３は、走査範囲と走査線を示す図である。図３に示すように、各マイクロミラーデバイス２３ａ〜２３ｃは、走査線１０に沿って走査し、矩形状の走査範囲（以下、第１の走査範囲１１という。）に光源２２ａ〜２２ｃからの光を反射して走査する。
【００３１】
複数の合成ミラー２４ａ〜２４ｃは、それぞれマイクロミラーデバイス２３ａ〜２３ｃからの反射光を反射し、各光源の光が同一の範囲に重畳するように合成した表示光を出力する。
【００３２】
ここで制御部２１は、外部から緊急信号を受信した場合、複数の光源のうち少なくとも１つの所定光源に対する走査範囲を当該所定光源以外の光源に対する走査範囲よりも狭くするように複数のマイクロミラーデバイス２３ａ〜２３ｃを制御する。すなわち制御部２１は、複数の光源２２ａ〜２２ｃのうち少なくとも１つの所定光源に対する走査範囲を、所定光源以外の光源に対する走査範囲と同一にするか狭くするかを、緊急信号に応じて切り替える。本実施の形態１では、所定光源は、光源２２ａであるとする。緊急信号を受信した場合、緊急信号に基づきタイミング信号を発生させ、光源２２ａに対応するマイクロミラーデバイス２３ａの駆動を切り替え、光源２２ｂ及び２２ｃの走査範囲よりも光源２２ａの走査範囲を狭くする。またこれに対応させて、映像信号のうち、所定光源に対応するデータを、所定光源に係る表示画像（以下、緊急表示画像という。）に係るデータに差し替える。具体的には、映像信号には各座標におけるＲＧＢの情報が含まれる。本実施形態においては、当該データのうち、Ｒに係る情報を、緊急表示画像を表示するための情報に差し替える。
【００３３】
図４は、所定光源の走査線１２と走査範囲（以下、第２の走査範囲１３という。）を示す図である。比較のために図４では第１の走査範囲１１も示している。図４に示すように、第２の走査範囲１３は、第１の走査範囲１１よりも狭い。このように緊急信号を受信した場合において、所定光源に対する走査範囲を所定光源以外の光源に対する走査範囲よりも狭くすることで、光源そのものの輝度を上げることなく、緊急表示画像の輝度を向上させることができる。
【００３４】
なお、図４に示すように、第１の走査範囲１１と第２の走査範囲１３との大きさが相違する。そのため、複数の合成ミラー２４ａ〜２４ｃは、それぞれマイクロミラーデバイス２３ａ〜２３ｃからの反射光を反射し、所定光源以外の光が同一の範囲に重畳し、かつ好適には所定光源の光が当該範囲内に重畳するように合成した表示光を出力する。
【００３５】
なお、緊急信号は、車速が一定速度以上である場合等にナビや各種センサー等から受信する信号である。緊急信号を受信する条件はこれに限られず、車載カメラや各種センサーに基づき、一定条件下において受信するようにしてもよい。例えば前方の車両との車間距離が所定値未満である場合に緊急信号を受信してもよい。あるいは、所定距離内に歩行者がいる場合に緊急信号を受信してもよい。
【００３６】
図５は、緊急表示画像を含む表示画像の一例を示す図である。図５のうち、表示画像１４は、所定光源以外の光源（ここでは光源２２ｂ及び２２ｃ）による表示画像である。一方で緊急表示画像１５は、所定光源の光源（ここでは光源２２ａ）による表示画像である。表示画像１４は、第１の走査範囲１１に対応する位置にて表示され、緊急表示画像１５は、第２の走査範囲１３に対応する位置にて表示される。ここで、緊急信号を受信した場合においても、所定光源以外の光源（本実施の形態では光源２２ｂ及び２２ｃ）は、緊急信号を受信していない場合と同様の、第１の走査範囲１１にて走査する。そのため、緊急表示画像１５のみの輝度が向上する。したがって緊急表示画像１５の輝度は高く表示され、ユーザに対する注意喚起を行なうことができる。一方で光源２２ｂ及び２２ｃに係る表示画像の走査範囲は維持しているため、表示する情報量の低下を抑制できる。
【００３７】
図６は、緊急表示画像を含む表示画像の他の例を示す図である。図６に示すように、緊急表示画像１５ｂは、表示画像１４の中央部に限らず、任意の位置に表示することができる。当該位置は、所定光源に対応するマイクロミラーデバイス（本実施の形態ではマイクロミラーデバイス２３ａ）の駆動を制御することにより、任意の位置に設定することができる。例えば、所定光源に係る投影範囲を中央視領域に設定してもよい。このようにすることで、所定光源に係る表示画像の視認性を向上させることができる。なお好適には、表示画像１４と緊急表示画像１５ｂとは、図５及び図６のように重畳表示させる。このようにすることで、両方の表示画像を一度に視野に収めることができる。
【００３８】
なお、緊急表示画像１５は、図５及び図６に示される画像に限らない。緊急表示画像は如何なる画像であってもよく、文字、図形、記号、又はこれらの組み合わせによる画像であってもよい。
【００３９】
次に、本発明の実施の形態１に係る表示画像投影装置１について、図７に示すフローチャートによりその動作を説明する。
【００４０】
はじめに表示光出力装置２の制御部２１は、外部から緊急信号を受信したか否かを検知する（ステップＳ１０）。
【００４１】
緊急信号を受信した場合、制御部２１は、複数の光源のうち少なくとも１つの所定光源に対する走査範囲を当該所定光源以外の光源に対する走査範囲よりも狭くするように複数のマイクロミラーデバイス２３ａ〜２３ｃを制御する。つまり制御部２１は、所定光源の走査範囲を第２の走査範囲１３にする（ステップＳ２０）。なお所定光源以外の走査範囲は、第１の走査範囲１１にする。
【００４２】
ステップＳ２０に続いて、制御部２１は、外部から受信した映像信号のうち、所定光源に対応するデータを、緊急表示画像に係るデータに差し替える（ステップＳ３０）。そして表示光出力装置２は、表示光を出力する（ステップＳ４０）。具体的には制御部２１は、外部から受信した映像信号を各色に分離する。制御部２１は、分離した映像信号のうち、所定光源に係るＲ映像を、光源２２ａに出力する。また制御部２１は、Ｇ映像を、光源２２ｂに出力する。また制御部２１は、Ｂ映像を、光源２２ｃに出力する。また制御部２１は、映像信号に基づきタイミング信号を発生させ、各光源に対応するマイクロミラーデバイス２３ａ〜２３ｃを駆動する。上述のように、所定光源に対する走査範囲を第１の走査範囲１１にするため、制御部２１は、マイクロミラーデバイス２３ａの走査範囲が第１の走査範囲１１になるように制御する。一方、制御部２１は、マイクロミラーデバイス２３ｂ、２３ｃの走査範囲が第２の走査範囲１３になるように制御する。複数の合成ミラー２４ａ〜２４ｃは、それぞれマイクロミラーデバイス２３ａ〜２３ｃからの反射光を反射し、合成した表示光を出力する。
【００４３】
ステップＳ１０において、緊急信号を受信していない場合、制御部２１は、所定光源の走査範囲を第１の走査範囲にする（ステップＳ５０）。すなわち、全ての光源（光源２２ａ〜２２ｃ）の走査範囲を第１の走査範囲にする。そして表示光出力装置２は、表示光を出力する（ステップＳ４０）。
【００４４】
このように本発明の一実施形態に係る表示画像投影装置によれば、所定光源に対する走査範囲を切り替え可能にしている。そのため、緊急信号を受信した場合に当該走査範囲を所定光源以外の光源に対する走査範囲よりも狭くすることで光源の輝度を上げることなく表示の輝度を上げることができる。さらに、所定光源以外の光源に対する走査範囲は広く維持して表示する情報量の低下を抑制することができる。例えば常時表示しておきたい情報（例えば速度表示情報、燃料の残量表示等）を、緊急表示を表示しているときであっても表示することができる。
【００４５】
なお、本実施の形態では、光源２２ａ、すなわち赤色を所定光源としている。赤色である場合、任意の時間帯（昼夜及び夜間）においても視認性が比較的高く好適である。ただし所定光源として、２２ｂ又は２２ｃを採用してもよい。さらに本実施の形態では、所定光源を光源２２ａのみとしたがこれに限られない。所定光源は２つであってもよく、光源２２ａ〜２２ｃのうち任意の２つの組合せとしてもよい。この場合、所定光源以外の光源は１つのみとなるが、所定光源以外の光源は少なくとも１つあればよい。
【００４６】
また、本実施の形態では、複数の光源が３つである例を示したがこれに限られない。光源の数は２であってもよく、４以上であってもよい。この場合、光源の数に応じて、対応するマイクロミラーデバイス及び合成ミラーを設ければよい。
【００４７】
なお、本実施の形態では、マイクロミラーデバイスの駆動を制御することにより緊急表示画像１５ｂの表示位置を設定するようにしたがこれに限られない。マイクロミラーデバイスに代えて、あるいはマイクロミラーデバイスに加えて、制御部２１が合成ミラーを駆動して、緊急表示画像１５ｂの表示位置を設定するようにしてもよい。
【００４８】
（実施の形態２）
以下に、本発明の実施の形態２について説明をする。図８は本発明の実施の形態２の表示画像投影装置１ｂの、表示光出力装置２ｂの構成を示すブロック図である。実施の形態１と同一の構成については同一の符号を付し、説明は省略する。実施の形態２に係る表示画像投影装置１ｂは、実施の形態１にかかる構成と比較して、表示光出力装置２ｂの制御部２１ｂによる制御が相違する。
【００４９】
実施の形態２に係る表示光出力装置２ｂの制御部２１ｂは、外部から第１の映像信号及び第２の映像信号を受信する。第１映像信号は、所定光源以外の光源により出力する表示光を生成するための信号である。本実施の形態では当該光源は、光源２２ｂ及び光源２２ｃである。第２映像信号は、所定光源により出力する表示光を生成するための信号である。本実施の形態では当該光源は、光源２２ａである。
【００５０】
制御部２１ｂは、第１映像信号を受信すると、第１の映像信号を、所定光源以外の光源に対応する映像（ここではＧ映像とＢ映像）に分離する。制御部２１ｂは、Ｇ映像を光源２２ｂに出力する。また、制御部２１ｂは、Ｂ映像を光源２２ｃに出力する。また制御部２１ｂは、第１の映像信号に基づきタイミング信号を発生させ、各光源に対応するマイクロミラーデバイス２３ｂ及び２３ｃを駆動する。具体的には制御部２１ｂは、マイクロミラーデバイス２３ｂ及び２３ｃを、第１の走査範囲１１により走査する。
【００５１】
また制御部２１ｂは、第２の映像信号を受信すると、第２の映像信号から、所定光源に対応する映像（ここではＲ映像）を分離する。制御部２１ｂは、Ｒ映像を光源２２ａに出力する。また制御部２１ｂは、第２の映像信号に基づきタイミング信号を発生させ、光源２２ａに対応するマイクロミラーデバイス２３ａを駆動する。具体的には制御部２１ｂは、マイクロミラーデバイス２３ａを、第２の走査範囲１３により走査する。
【００５２】
このように実施の形態２に係る表示光出力装置２ｂでは、予め所定光源（ここでは光源２２ａ）に対応する信号である第２の映像信号を用意しておき、所定光源に対応するマイクロミラーデバイス２３ａは、常に第２の走査範囲１３において走査する。このようにすることでも、所定光源に対する走査範囲を、所定光源以外の光源に対する走査範囲よりも狭くすることで光源の輝度を上げることなく表示の輝度を上げつつ、所定光源以外の光源に対する走査範囲は広く維持して表示する情報量の低下を抑制することができる。そのため例えば常時表示しておきたい情報（例えば速度表示情報、燃料の残量表示等）を、緊急表示を表示しているときであっても表示することができる。
【００５３】
なお、実施の形態１及び２において、第２の走査範囲１３を矩形状であるものを示したがこれに限られない。第２の走査範囲１３は、第１の走査範囲１１よりも狭ければ如何なる形状であってもよい。例えば円形であってもよく、あるいは三角形状等の多角形状であってもよい。あるいは緊急表示画像に沿った走査範囲であってもよい。このように第２の走査範囲１３を緊急表示画像に合わせた範囲とすることで、レーザー光のロスをより低減させて、緊急表示画像の輝度を向上させることができる。
【００５４】
なお、第２の走査範囲１３を、所定の条件に応じて変更してもよい。所定の条件は、例えば外光の明るさが所定値未満であるか否かである。外光の明るさは、ナビ等の時刻により判定してもよく、あるいは外光を検知するセンサー、ヘッドライトのＯＮ／ＯＦＦにより判定してもよい。そして例えば外光の明るさが所定値未満である場合、制御部２１は、第２の走査範囲を、第１の走査範囲１１よりも狭い範囲内において、昼間における走査範囲よりも広くしてもよい。このようにすることで、例えば夜間においては輝度を上げすぎずに抑えて、緊急表示画像が眩しくなることを防止できる等、表示の輝度を条件に応じて適宜調整することができる。
【００５５】
なお、実施の形態１及び２において映像信号、緊急信号、第１の映像信号、第２の映像信号を外部から受信する構成としたがこれに限られない。制御部２１及び２１ｂが、各種センサー情報等に基づきこれらの信号を生成するようにしてもよい。
【００５６】
ここで、表示画像投影装置１及び１ｂとして機能させるために、コンピュータを好適に用いることができ、そのようなコンピュータは、表示画像投影装置１及び１ｂの各機能を実現する処理内容を記述したプログラムを、当該コンピュータの記憶部に格納しておき、当該コンピュータの中央演算処理装置（ＣＰＵ）によってこのプログラムを読み出して実行させることで実現することができる。
【００５７】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。
【符号の説明】
【００５８】
１、１ｂ  表示画像投影装置（ヘッドアップディスプレイ装置）
２、２ｂ  表示光出力装置
３  透過型スクリーン
４  反射ミラー
５  フロントウィンドシールド
６  ステアリングホイール
７  インストパネル
８  シート
１０、１２  走査線
１１  第１の走査範囲
１３  第２の走査範囲
１２  表示画像
１３、１３ｂ  緊急表示画像
２１、２１ｂ  制御部
２２ａ〜２２ｃ  光源
２３ａ〜２３ｃ  マイクロミラーデバイス
２４ａ〜２４ｃ  合成ミラー
【図１】
2017202762.tif 000003
【図２】
2017202762.tif 000004
【図３】
2017202762.tif 000005
【図４】
2017202762.tif 000006
【図５】
2017202762.tif 000007
【図６】
2017202762.tif 000008
【図７】
2017202762.tif 000009
【図８】
2017202762.tif 000010